(57)【要約】【目的】 標準時刻表示と数分進めるなどの補正した時刻の表示との両方を行うことができる電波時計を提供する。【構成】 時刻情報を含む標準電波を受信する受信手段と、基準信号源からの基準信号に基づいて時刻を計時する計時手段と、前記時刻を表示する時刻表示手段と、所定の入力操作により前記時刻表示手段を変更可能とする外部操作部材とを具備し、前記受信手段で受信した時刻情報に基づいて前記時刻を修正する電波修正時計であって、時刻のずれが設定値以内の場合は標準時刻を表示させ、設定値より時刻がずれている場合には補正時刻を表示させる比較手段を具備した。【選択図】        図１
2007232569.tif 000002
【特許請求の範囲】
【請求項１】
時刻情報を含む標準電波を受信する受信手段と、基準信号源からの基準信号に基づいて時刻を計時する計時手段と、前記時刻を表示する時刻表示手段と、所定の入力操作により前記時刻表示手段を変更可能とする外部操作部材とを具備し、前記受信手段で受信した時刻情報に基づいて前記時刻を修正する電波修正時計であって、
時刻のずれが設定値以内の場合は標準時刻を表示させ、設定値より時刻がずれている場合には補正時刻を表示させる比較手段を具備したことを特徴とする電波時計。
【発明の詳細な説明】
【技術分野】
【０００１】
本発明は、標準時刻と比較し修正する機能を備えた電子時計に関し、より詳細には、標準電波等により取得した標準時刻情報を利用して出力時刻を選択することができる電子時計に関する。
【背景技術】
【０００２】
従来から標準電波を受信することにより取得した標準時刻情報を利用して時刻を修正する機能を備えたいわゆる電波時計が知られている。この電波時計では、標準時刻情報（タイムコード）を乗せた標準電波（独立行政法人通信総合研究所により運用）を任意に設定し得る時刻に受信し、時計内で生成するクロック信号に基づいて計時した時刻を標準電波から得た正しい時刻により修正するという方法が一般に採用されている。
このような修正法の適用対象となる時計は、指針表示のアナログクォーツやデジタル表示の時計等を含み、通常電子時計といわれるもので、基本的な構成要素として、発振器および分周器によって形成された１Ｈｚのクロック信号（秒信号）をカウントして時計時刻を生成する時刻カウンタと、生成された時計時刻を表示する表示部とを備えたものである。このような電子時計に対する標準電波を用いる時刻修正は、時計の時刻表示を強制的に標準時刻に合わせ込むという修正操作によって行うのが、これまでに一般に用いられている方法である。
【０００３】
こうした受信した標準電波により時刻修正を行う電子時計の一例を下記特許文献１に示すことができる。特許文献１には、デジタル表示方式と指針を駆動して時刻を表示するアナログ方式のそれぞれに対応して時刻修正を行うことが示されている。デジタル表示方式の場合、受信した標準時刻を１秒間隔の入力クロックでカウント動作をする時刻カウンタに読み込んで(それまでの時刻カウンタの値を標準時刻に置き換えることにより、正しい時刻に合わせる)、この後、置き換えられた時刻カウンタ値を液晶表示装置などに表示することにより、正しい時刻表示を行うようにしている。他方、指針を駆動して時刻を表示するアナログ方式の場合、指針により表示される時刻を受信した標準時刻と比較しながら（この比較をするためには、受信した標準時刻に対応して指針が表示する時刻をデジタル値で表す手段を必要とすることが記されている）、標準時刻に対するずれをなくすように指針を駆動するモータを早送りすることにより正しい時刻表示を行うようにしている。
【特許文献１】特開平１１−２１１８５７号公報
【発明の開示】
【発明が解決しようとする課題】
【０００４】
しかしながら、時計の時刻表示を５分進めて表示しようとした場合には強制的に標準時刻に合わせられてしまい、常に５分進めて表示するような使用はできなかった。
【０００５】
本発明は、特許文献１に示されるような受信した標準時刻情報を用いて強制的に表示時刻の修正を行うようにする従来の電波時計において、標準時刻表示と数分進めるなどの補正した時刻の表示との両方を行うことができる電波時計を提供することを目的とする。
【課題を解決するための手段】
【０００６】
上記課題を解決するため、本発明は、時刻情報を含む標準電波を受信する受信手段と、基準信号源からの基準信号に基づいて時刻を計時する計時手段と、前記時刻を表示する時刻表示手段と、所定の入力操作により前記時刻表示手段を変更可能とする外部操作部材とを具備し、前記受信手段で受信した時刻情報に基づいて前記時刻を修正する電波修正時計であって、時刻のずれが設定値以内の場合は標準時刻を表示させ、設定値より時刻がずれている場合には補正時刻を表示させる比較手段を具備した。
【発明の効果】
【０００７】
本発明によると、時計に表示する時刻を複数選択できるので、標準時間を表示させたり、標準時間より５分進めて表示するなど他用途に使用することができる。
【発明を実施するための最良の形態】
【０００８】
時刻表示のためのクロックの生成は、一般的に用いられている発振回路とその発振出力を受ける分周回路とによりその手段を構成し、計時に必要な例えば１秒相当の周期をもつクロックを生成する。
標準時刻信号は外部から取得する正確な時刻情報であり、この信号は、例えば標準電波、ＧＰＳ電波、原子時計などにより送られてくる時刻情報を受信することにより取得可能であり、そのために受信手段を必要とする。受信手段そのものは公知の要素を適用することにより実施することが可能である。時計本体には、時刻表示を標準時間と任意に進めるまたは遅らせるなど補正した時間を切り換えることができるように切り換ボタンが設けられている。
【実施例１】
【０００９】
以下、添付する図面を参照して本発明の実施例についてより詳細に説明する。
本発明の電波時計 に使用される回路の実施の形態について説明する。
図１は本発明の電波腕時計の回路のブロック図である。
なお本発明との関連が薄い、例えば手動による時刻修正回路等は図示を省略した。
図において、細線で囲んだ回路群は計時回路１００で、時計が維持する時刻情報を作成する。その内容は水晶発振器である発振回路１０１、その出力信号を１秒周期の秒信号まで低減する分周回路１０２、その秒信号を数えて分信号を出力する秒カウンタ１０３、分信号から時信号を作成する分カウンタ１０４、時信号から日信号を作成する時カウンタ１０５、日信号を１ケ月分計数する日カウンタ１０６より成る。
【００１０】
計時回路１００が保持する時刻情報は正確な時刻ではない可能性もあるが、受信回路１０７によって受信した標準電波に含まれた正しい時刻情報が時刻信号作成回路１０８内に再現されると、その秒、分、時、日情報は計時回路１００内の各カウンタ（１０３〜１０６）に送られ、各カウンタの計数内容は正しい時刻に一致するよう強制的に変更修正される。定期的に（図では時カウンタ１０５が所定の計数値となるときすなわち毎日の定時に）あるいは随時にこの動作を行わせることにより、計時回路１００は正しい時刻と殆ど差がない時刻情報を維持することになる。
【００１１】
秒分輪列１１３は秒針および分針が歯車列によって連結された機構であり、ステップ動作をするモータＡ１１２の出力軸はこれに直結している。秒分位置制御回路１１０は内部に指針の位置に対応した計数値を持つ指針カウンタを内蔵している。（両者の初期状態は別途合わせておく。）そしてモータＡが正逆いずれかの方向に駆動されると指針カウンタの計数値も同じステップ数だけ増減する。従って指針の指示と指針カウンタの計数値は常に平行して変化する。他から与えられた計数値と指針カウンタの計数値とに差があると、秒分位置制御回路１１０は直ちにその差が解消し両者が一致するまで正転または逆転用の駆動パルスを送るように駆動パルス作成回路１１１に指令し、秒針および分針の位置を与えられた計数値に追従させる。
【００１２】
時日輪列１１８も時針及び日板が輪列で結合された機構であり、それにモータＢ１１７が直結している。時針および日板の位置（角度）は日時位置制御回路１１５が内蔵する指針カウンタの計数値と対応しており、日時位置制御回路１１５はこの計数値が他から与えられた計数値に一致するまで駆動パルス作成回路Ｂ１１６に指令して駆動パルスを作成させ、時針および日板の位置を即座に与えられた計数値に追従させる。
【００１３】
通常時刻表示状態においては、秒分位置制御回路１１０に対して秒カウンタ１０３と分カウンタ１０４の計数内容が常に与えられているので、上記の作用により時刻の進行と共に指針カウンタの計数値がこれに倣って進行し、従って秒分針が追従して時刻が表示され続ける。日時位置制御回路１１５には時カウンタ１０５と日カウンタ１０６から供給されるそれらの計数内容が与えられているので、同様に時針および日板は正しい日時を追って進行する。
【００１４】
スイッチ１１９は時計本体に設けられている押ボタンスイッチで有り、表示モード切り換（標準時刻表示と補正時刻表示の切替）を行う。比較回路１１４はスイッチ１１９の操作に応じて標準時間表示か補正時間表示を選択して表示させる。現在どちらの表示が選択されているか表示する手段を時計に設けても良い。
補正時間表示が選択されている場合には、標準時間に対して設定されているだけの時間を進めて、または遅らせて表示するように計時回路の各カウンタに送信されてカウンタの値を変更修正する。
【００１５】
受信回路１０７によって受信した標準電波に含まれた正しい時刻情報が時刻信号作成回路１０８に送られると、時刻信号作成回路１０８は正しい時刻情報と計時回路１００の時刻情報を比較して、時刻のずれが設定値以内の場合は標準時刻を計時回路の各カウンタに送り、設定値より時刻がずれている場合には補正表示に設定されている値を補正して計時回路の各カウンタに時刻情報を変更修正するようにされているので継続して標準時間または補正時間を表示させることができる。
【実施例２】
【００１６】
この実施例は、実施例１に設けられているスイッチ１１９を設けずに実施例１と同様の時刻合わせを可能としたものである。
手動による時刻合わせは、時計本体に設けられている竜頭を数段引き出すと時刻変更が可能になり、竜頭を回転操作することで、指針を回動して時刻を変更することができる。
また、竜頭が押し込まれた状態では、手動による時刻の変更は不可能で、標準電波受信時のみ時刻修正が行われる。
【００１７】
例えば、手動によって５分分針が進められた場合には、定期的な標準電波を受信して、比較回路１１４で受信した標準時間と、時計の表示している時間とを比較し、正しい時刻情報との差が１分以上の場合には、分針はプラスマイナス３０秒の範囲にある分を保持して、秒針のみを正しい時刻情報と一致させて表示を行うように処理して、秒カウンタ１０３のみ書き換える。毎日標準電波を受信できていれば、水晶振動子を用いた時計の誤差は１日８秒以内なので、累積して進んでしまったり、遅れてしまったりすることはなく、手動によって進められて設定された時間、または遅らせて設定された時間を維持することができる。
ここでは、５分進めた場合で説明したが、１分以上で有れば手動によって修正された時間を維持して表示させることができる。
【００１８】
手動により時刻修正が無い場合には、標準電波を受信して、正しい時刻情報との差を比較してその差が１分未満で有れば正しい時間に修正して表示するようにされているので、通常の電波時計として正確な時間表示をさせることができる。
このように手動で時刻修正された場合には、スイッチ１１９によって切換をしなくても、その修正された時刻差を常に保持して表示させることができスイッチ１１９を省略することもできる。
【図面の簡単な説明】
【００１９】
【図１】本発明に係わる電子時計の構成の一例を示すブロック図である。
【符号の説明】
【００２０】
１００  計時回路
１０７  受信回路
１０８  時刻信号作成回路
１１４  比較回路
【図１】
2007232569.tif 000003